(57)【要約】【課題】簡易な構成で光変調装置への塵埃の付着を低減し、投写画像の色ムラを抑制するプロジェクターを提供する。【解決手段】プロジェクター１は、光束を変調する光変調装置（液晶パネル３４２）と、液晶パネル３４２を冷却する冷却風を流動して吐出する吐出口６３を有するダクト６と、吐出口６３、吐出口６３から液晶パネル３４２までの間、および液晶パネル３４２の側面の一部を囲むことにより、塵埃の巻き込みを抑制して冷却風を流動させるガイド部材７と、を備えている。【選択図】図３
2013145259.tif 000002
【特許請求の範囲】
【請求項１】
光源から射出された光束を画像情報に応じて変調し投写するプロジェクターであって、
前記光束を変調する光変調装置と、
前記光変調装置を冷却する冷却風を吐出する吐出口を有するダクトと、
前記吐出口から前記光変調装置までの間、および前記光変調装置の側面の一部を囲むことにより、塵埃の巻き込みを抑制して前記冷却風を流動させるガイド部材と、
を備えていることを特徴とするプロジェクター。
【請求項２】
請求項１に記載のプロジェクターであって、
前記光変調装置の前記光束の入射面の水平方向の中心を通る中心線に対して、前記吐出口の水平方向の中心を通る中心線は、前記ダクト内の前記冷却風の流動方向上流側にずれていることを特徴とするプロジェクター。
【請求項３】
請求項２に記載のプロジェクターであって、
前記ガイド部材は、前記入射面の中央よりも前記冷却風の流動方向上流側に配置されていることを特徴とするプロジェクター。
【請求項４】
請求項１〜請求項３のいずれか一項に記載のプロジェクターであって、
前記ガイド部材は、前記光変調装置の数に応じてそれぞれ備えられ、一体に形成されていることを特徴とするプロジェクター。
【発明の詳細な説明】
【技術分野】
【０００１】
本発明は、プロジェクターに関する。
【背景技術】
【０００２】
従来、プロジェクターに備えられる光変調装置、入射側偏光板および射出側偏光板は、光源から射出される光束により発熱する。そして、プロジェクター内部に備えられる冷却機構により、プロジェクターの外部から外気を内部に取込み、取込んだ外気を光変調装置、入射側偏光板および射出側偏光板に吹き付けて、これら光学部品の温度を許容温度範囲内となるように冷却している。
【０００３】
図５は、従来のプロジェクター１０の冷却機構８０と電気光学装置３４を示す模式的な概平面図である。また、図５では、中央に位置する光変調装置（液晶パネル３４２）に対応するダクト８１の吐出口８２を断面で図示している。電気光学装置３４は、クロスダイクロイックプリズム（図示省略）と、クロスダイクロイックプリズム（図示省略）の隣接する３つの側面に色光毎に設置される液晶パネル３４２と射出側偏光板（図示省略）とを備えている。なお、電気光学装置３４として液晶パネル３４２の前段に設置される入射側偏光板は図示を省略している。また、冷却機構８０は、外気を流動するダクト８１と、外気を吸気するファン（図示省略）とを有している。なお、吐出口８２は、色光毎に、入射側偏光板、液晶パネル３４２および射出側偏光板の下方に位置させるように設置される。
【０００４】
冷却機構８０は、ファンが駆動することにより、プロジェクター１０の外装筺体（図示省略）に設置される開口部（図示省略）から塵埃の混入を防止するフィルター（図示省略）を介して、外気がダクト８１の流入口（図示省略）に流入する。そして、外気は、ダクト８１内を流動し、色光毎に設置される吐出口８２から吐出される。吐出口８２から吐出された外気（冷却風Ｗ）は上方に向かって流動する。これにより、吐出された冷却風Ｗは、上方に位置する発熱する入射側偏光板、液晶パネル３４２および射出側偏光板３４３に吹き付けて表面や側面に沿って流動することにより、入射側偏光板、液晶パネル３４２および射出側偏光板３４３を冷却する。
【０００５】
なお、図５に示すように、吐出口８２から上方向に吐出された冷却風Ｗは、吐出口８２に至るダクト８１内を図面右方向から左方向に流動し、吐出口８２から吐出された後、左方向に傾斜して流動する。そのため、液晶パネル３４２の中心に冷却風を吐出させるため、吐出口８２は液晶パネル３４２の中心に対して図面右方向にずれて配置されている。また、冷却風Ｗが吐出された場合、冷却風Ｗの周囲が負圧となることにより、冷却風Ｗに引き付けられるように、周囲の空気が引き寄せられる。
【０００６】
周囲の空気には、プロジェクター１０内部に備わる上記のファンや、排気用ファン（図示省略）等が動作することにより、外装筺体の隙間（例えば、投写レンズ（図示省略）の外装筺体からの出口部分）等から外気と共に進入する塵埃ＤＳが巻き込まれてしまっている。なお、塵埃ＤＳが巻き込まれる方向を図中に矢印Ｄ３，Ｄ４で模式的に示している。そして、巻き込まれた塵埃ＤＳの風速は低いので、例えば、液晶パネル３４２の光束が入射する表面（領域Ｅ等）に付着し易くなる。液晶パネル３４２に塵埃ＤＳが付着することにより、投写画像に塵埃ＤＳの影や色ムラが発生し、投写画像の品質低下を招くことになる。
【０００７】
特許文献１では、空冷用空間部の下部に２箇所の冷却風吹出口から上向きに吹き出された冷却風を、その空冷用空間部内のクロスプリズムの互いに直行する側面に対応して略Ｌ型に配置された２組のライトバルブユニットの表面に沿って上昇されるように誘導する主送風ガイドが、２組のライトバルブユニットの側面に沿って略Ｌ型に配置され、かつ、空冷用空間部のコーナー部分において底部から上方に起立されてライトバルブユニットの側面を空冷用空間部の底部から覆うように設けていることが開示されている。また、特許文献１では、主送風ガイドの上部には、フィルタホルダーが設置されおり、フィルタホルダーは、冷却風吹出口の真上に配置される冷却風放出口を有していることが開示されている。
【０００８】
この光学ユニット装置により、冷却風吹出口から上向きに吹き出された冷却風を、ライトバルブユニットの表面に沿ってスムーズに上昇させることができ、上昇させた後に、フィルタホルダーの冷却風放出口から光学ユニットケースの上方へスムーズに放出させることができるので、空冷用空間部内に冷却風の乱流が発生しない。特に、空冷用空間部のコーナー部分に冷却風の多量の渦を伴う乱流が発生することを防止できる。従って、冷却風の多量の渦を伴う乱流の発生に伴って生じるような、ライトバルブユニットへの微細粉塵の付着を防止することができ、投射映像に色の乱れ等の弊害が発生することを防止できるため、高画質の投射映像を投射できる高品質の投射型表示装置を実現できるとしている。
【先行技術文献】
【特許文献】
【０００９】
【特許文献１】特開２００６−１２６８６３号公報
【発明の概要】
【発明が解決しようとする課題】
【００１０】
特許文献１の光学ユニット装置は、ライトバルブユニット搭載部の冷却風吹出口から吹き出された冷却風を、主送風ガイドにより誘導してライトバルブユニット等の表面に沿って上昇させ、フィルタホルダーの冷却風放出口から光学ユニットケースの上方へ放出させることで乱流の発生を防止する。これにより、光学ユニット装置は、冷却風自体に混入している塵埃が、ライトバルブユニット（光変調装置）に付着することを防止している。しかし、このような主送風ガイドやフィルタホルダーを含む光学ユニット装置は、構成が複雑であり、各部材を組み立てた場合、隙間等が生じ易く、この隙間から塵埃が空冷用空間部内に進入することが考えられる。なお、空冷用空間部は、主送風ガイドやフィルタホルダーに囲まれて、ほぼ閉空間となっている。従って、空冷用空間部内に侵入した塵埃は、冷却風放出口からスムーズに放出させることができず、塵埃が空冷用空間部内にとどまることが考えられる。また、このような複雑な構成の光学ユニット装置は、大型化が懸念される。また、従来の冷却機構８０においては、構成は簡易であるが、冷却風Ｗによる塵埃ＤＳの巻き込みを低減することには適していない。
従って、簡易な構成で光変調装置への塵埃の付着を低減し、投写画像の色ムラを抑制するプロジェクターが要望されていた。
【課題を解決するための手段】
【００１１】
本発明は、上述した課題の少なくとも一部を解決するためになされたものであり、以下の形態または適用例として実現することが可能である。
【００１２】
［適用例１］本適用例に係るプロジェクターは、光源から射出された光束を画像情報に応じて変調し投写するプロジェクターであって、光束を変調する光変調装置と、光変調装置を冷却する冷却風を吐出する吐出口を有するダクトと、吐出口から光変調装置までの間、および光変調装置の側面の一部を囲むことにより、塵埃の巻き込みを抑制して冷却風を流動させるガイド部材と、を備えていることを特徴とする。
【００１３】
このようなプロジェクターによれば、ガイド部材により、ダクトの吐出口から光変調装置までの間を囲み、また光変調装置の側面の一部を囲むことにより、塵埃の巻き込みを抑制して冷却風を流動させる。このような簡易な構成により、吐出口から冷却風を吐出した場合、ガイド部材に囲まれた領域の塵埃は、冷却風と共に吐出されることで、光変調装置への塵埃の付着を低減することができる。また、ガイド部材に囲まれない領域の塵埃は、ガイド部材に沿って流動するため、塵埃の巻き込みを抑制でき、光変調装置への塵埃の付着を低減することができる。従って、投写画像の色ムラを抑制することができ、投写画像品質を維持することができる。
【００１４】
［適用例２］上記適用例に係るプロジェクターにおいて、光変調装置の光束の入射面の水平方向の中心を通る中心線に対して、吐出口の水平方向の中心を通る中心線は、ダクト内の冷却風の流動方向上流側にずれていることが好ましい。
【００１５】
光変調装置の光束の入射面の水平方向の中心を通る中心線に対して、吐出口の水平方向の中心を通る中心線は、ダクト内の冷却風の流動方向上流側にずらして配置することで、冷却風を光変調装置の中心に流動させて冷却効率を高めることができるが、入射面の一部は冷却風の流量が少なくなってしまうので塵埃が入射面により付着しやすくなる。よってガイド部材を配置した時の塵埃の付着を抑制する効果が大きくなる。
【００１６】
［適用例３］上記適用例に係るプロジェクターにおいて、ガイド部材は、入射面の中央よりも冷却風の流動方向上流側に配置されていることが好ましい。
【００１７】
このようなプロジェクターによれば、ガイド部材を入射面の中央よりも冷却風の流動方向上流側となるように配置することにより、傾斜して流動する冷却風がガイド部材で遮られることがないので、光変調装置への冷却効率を落とすことなく光変調装置への塵埃の付着を低減できることで、投写画像の色ムラを抑制できる。
【００１８】
［適用例４］上記適用例に係るプロジェクターにおいて、ガイド部材は、光変調装置の数に応じてそれぞれ備えられ、一体に形成されていることが好ましい。
【００１９】
このようなプロジェクターによれば、光変調装置の数に応じてガイド部材をそれぞれ備えることにより、各光変調装置への塵埃の付着を低減できると共に、それぞれ備えられるガイド部材が一体に形成されることで、ガイド部材の取り扱いが容易となり、組立て工数を削減できる。
【図面の簡単な説明】
【００２０】
【図１】実施形態に係るプロジェクターの概略構成を模式的に示す図。
【図２】電気光学装置と冷却機構との組立て図。
【図３】電気光学装置と冷却機構とを組立てた斜視図。
【図４】冷却機構と電気光学装置を示す概平面図。
【図５】従来のプロジェクターの冷却機構と電気光学装置を示す模式的な概平面図。
【発明を実施するための形態】
【００２１】
以下、実施形態を図面に基づいて説明する。
（実施形態）
【００２２】
図１は、実施形態に係るプロジェクター１の概略構成を模式的に示す図である。図１を参照して、本実施形態のプロジェクター１の概略構成を説明する。本実施形態のプロジェクター１は、光源装置３０（光源３０１）から射出される光束を画像情報に応じて変調してスクリーン（図示省略）等の投写面に拡大投写する装置である。
【００２３】
図１を含む以降の図面では、各構成要素を図面上で認識できる程度の大きさとするため、各構成要素の寸法や比率を実際のものとは適宜異ならせて示している。また、図１を含む以降の図面では、説明の便宜上、ＸＹＺ直交座標系で記載する。ＸＹＺ直交座標系は、光源装置３０から射出された光束が照明光軸ＯＡに沿う進行方向をＹ方向（＋Ｙ方向）とする。また、据置き姿勢で、Ｙ方向に水平方向で直交し、合成された変調光を投写する方向をＸ方向（＋Ｘ方向）とする。さらに、Ｘ方向およびＹ方向に直交し、据置き姿勢での上方向をＺ方向（＋Ｚ方向）とする。
【００２４】
図１に示すように、プロジェクター１は、光学ユニット３、制御部（図示省略）、制御部等に電力を供給する電源ユニット（図示省略）、およびプロジェクター１内部を冷却する冷却機構５（図２参照）等を備え、これら各装置が外装筺体２内部に収容されている。なお、冷却機構５に関しては後述する。
【００２５】
光学ユニット３は、制御部による制御に基づき、光源装置３０から射出された光束を変調して投写するユニットである。光学ユニット３は、光源装置３０、照明光学装置３１、色分離光学装置３２、リレー光学装置３３、電気光学装置３４、およびこれら光学装置３０〜３４を内部に収容すると共に、投写レンズ３５を所定位置で支持固定する光学部品用筺体３６を備えて構成されている。
【００２６】
光源装置３０は、光源３０１およびリフレクター３０２を備える。光源装置３０は、光源３０１から射出された光束をリフレクター３０２によって射出方向を揃え、照明光軸ＯＡに対して平行化して照明光学装置３１に向けて射出する。照明光軸ＯＡは、光源装置３０から被照明領域側に射出される光束の中心軸である。本実施形態の光源装置３０は、超高圧水銀ランプを採用している。
【００２７】
照明光学装置３１は、第１レンズアレイ３１１と、第２レンズアレイ３１２と、偏光変換素子３１３と、重畳レンズ３１４と、平行化レンズ３１５と、を備えている。第１レンズアレイ３１１は、光源装置３０から射出された光束を部分光束に分割し、照明光軸ＯＡに沿った方向に射出する。第２レンズアレイ３１２は、第１レンズアレイ３１１から射出された部分光束をそれぞれ重畳レンズ３１４に向けて射出する。
【００２８】
偏光変換素子３１３は、第２レンズアレイ３１２から射出されたランダム偏光光となる各部分光束を液晶パネル３４２で利用可能な略１種類の偏光光に揃える機能を有する。なお、第２レンズアレイ３１２から射出され、偏光変換素子３１３によって略１種類の偏光光に変換された各部分光束は、重畳レンズ３１４によって、液晶パネル３４２の表面に略重畳される。なお、重畳レンズ３１４から射出された光束は、平行化レンズ３１５により平行化されて液晶パネル３４２に重畳される。平行化レンズ３１５は、詳細には、後述する３色の色光毎に設けられている。
【００２９】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００３０】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４２Ｒまで導く。なお、本実施形態では、リレー光学装置３３がＲ光を導く構成としているが、これに限定されず、例えば、Ｂ光を導く構成としてもよい。
【００３１】
電気光学装置３４は、３つの入射側偏光板３４１と、光変調装置としての３つの液晶パネル３４２と、３つの射出側偏光板３４３と、１つのクロスダイクロイックプリズム３４５と、を備えている。なお、３つの入射側偏光板３４１に対して、Ｒ光用の入射側偏光板を３４１Ｒ、Ｇ光用の入射側偏光板を３４１Ｇ、Ｂ光用の入射側偏光板を３４１Ｂとする。また、３つの液晶パネル３４２に対して、Ｒ光用の液晶パネルを３４２Ｒ、Ｇ光用の液晶パネルを３４２Ｇ、Ｂ光用の液晶パネルを３４２Ｂとする。そして、３つの射出側偏光板３４３に対して、Ｒ光用の射出側偏光板を３４３Ｒ、Ｇ光用の射出側偏光板を３４３Ｇ、Ｂ光用の射出側偏光板を３４３Ｂとする。
【００３２】
液晶パネル３４２（３４２Ｒ，３４２Ｇ，３４２Ｂ）は、色分離光学装置３２で色光毎に分離された光束を画像情報に応じて変調する。クロスダイクロイックプリズム３４５は、４つの直角プリズムを貼り合わせた平面視略正方形状を有し、直角プリズム同士を貼り合わせた界面には、２つの誘電体多層膜が形成されている。クロスダイクロイックプリズム３４５は、液晶パネル３４２Ｒ，３４２Ｇ，３４２Ｂで変調された各色光を合成し、投写レンズ３５に射出する。
【００３３】
投写レンズ３５は、複数のレンズを組み合わせた組レンズで構成され、電気光学装置３４で変調され合成された光束をスクリーン等の投写面上に拡大投写する。
【００３４】
図２は、本実施形態の電気光学装置３４と冷却機構５との組立て図である。図３は、電気光学装置３４と冷却機構５とを組立てた斜視図である。図２、図３を参照して、冷却機構５の構成に関して説明する。
【００３５】
プロジェクター１内部には、冷却機構が複数備えられており、発熱する光学部品（光源装置３０、偏光変換素子３１３、電気光学装置３４等）、および発熱する回路素子等を冷却している。冷却機構は、ファンとダクト（いずれも図示省略）を備え、プロジェクター１の外部の外気を吸気して発熱する部品に吹き付けて冷却する。また、発熱した部品を冷却して温まった外気をプロジェクター１外部に排気する。
【００３６】
最初に、本実施形態の電気光学装置３４は、クロスダイクロイックプリズム３４５と、クロスダイクロイックプリズム３４５の、直行して隣接する３つの側面に色光毎に設置される、光変調装置としての液晶パネル３４２と、射出側偏光板３４３とを備えて構成されている。
【００３７】
詳細には、液晶パネル３４２は収容枠３４２Ａに収容され、射出側偏光板３４３はガラス基板３４３Ａに貼付されている。このように、収容枠３４２Ａに収容される液晶パネル３４２と、ガラス基板３４３Ａに貼付された射出側偏光板３４３とは、支持枠３４４に支持されて、各色光に対応するクロスダイクロイックプリズム３４５の側面に固定されている。
【００３８】
また、電気光学装置３４は、図２、図３では省略しているが、入射側偏光板３４１も備えている。入射側偏光板３４１は、クロスダイクロイックプリズム３４５には支持されず、光学部品用筺体３６に支持される。入射側偏光板３４１は、射出側偏光板３４３と同様に、ガラス基板３４３Ａに貼付された状態で支持される。そして、入射側偏光板３４１は、図３に示す、各液晶パネル３４２の前段で、液晶パネル３４２と同様に、後述するガイド部材７のガイド本体７１とガイド壁７３とに囲まれるように設置される。
【００３９】
本実施形態の冷却機構５は、電気光学装置３４を冷却する機構である。冷却機構５は、冷却用ファン（図示省略）、ダクト６、ガイド部材７等を備えて構成される。
【００４０】
ダクト６は、外気（冷却風）が流入する流入口６２と、流入口６２から流入した冷却風を流動するダクト本体６１と、ダクト本体６１を流動した冷却風を吐出する吐出口６３とを備えて構成される。
【００４１】
ダクト本体６１は、流入口６２１を備える第１ダクト本体６１１と、流入口６２２を備える第２ダクト本体６１２との２つで構成されている。なお、ダクト本体６１（第１ダクト本体６１１と第２ダクト本体６１２）は、外装筺体２の底面（図示省略）に設置されることにより、第１ダクト本体６１１と第２ダクト本体６１２の底面側が構成され、ダクト本体６１として機能する。
【００４２】
ダクト本体６１の流入口６２の前段の構成の説明を行う。
図２、図３では、冷却用ファンやフィルター、光学部品用筺体３６等の図示を省略している。外装筺体２には開口部（図示省略）が設置され、この開口部には、ダクト６への塵埃の混入を防止するフィルターが設置される。フィルターの後段には、冷却用ファンが設置され、その冷却用ファンの吐出口（図示省略）に、第１ダクト本体６１１と第２ダクト本体６１２とが接続される。なお、詳細には、冷却用ファンは２つ使用しており、それぞれの吐出口に、第１ダクト本体６１１の流入口６２１と第２ダクト本体６１２の流入口６２２とが接続される。本実施形態の冷却用ファンは遠心ファンとしてのシロッコファンを使用している。
【００４３】
ダクト６を構成する吐出口６３は色光毎に設置される。吐出口６３は、Ｇ光用の吐出口６３ＧとＢ光用の吐出口６３ＢとＲ光用の吐出口６３Ｒとの３つの吐出口６３で構成される。また、Ｇ光用の吐出口６３Ｇは、第１ダクト本体６１１に接続されている。Ｂ光用の吐出口６３ＢとＲ光用の吐出口６３Ｒは、第２ダクト本体６１２に接続されている。
【００４４】
この３つの吐出口６３は、上方向（＋Ｚ方向）を向いて開口され、色光毎に設置される入射側偏光板３４１、液晶パネル３４２、射出側偏光板３４３の下方に位置している。第１ダクト本体６１１内を流動した冷却風は、吐出口６３Ｇから上方向（＋Ｚ方向）に吐出される。また、第２ダクト本体６１２内を流動した冷却風は、一部が吐出口６３Ｂから上方向（＋Ｚ方向）に吐出され、残りが吐出口６３Ｒから上方向（＋Ｚ方向）に吐出される。
【００４５】
また、各吐出口６３Ｇ，６３Ｂ，６３Ｒは、入射側偏光板３４１、液晶パネル３４２、射出側偏光板３４３に対応させて分割され、各吐出口６３Ｇ，６３Ｂ，６３Ｒから吐出される冷却風が略整流として入射側偏光板３４１、液晶パネル３４２、射出側偏光板３４３の表面に流動するようにしている。詳細には、吐出口６３Ｇは２つに分割され、吐出口６３Ｂ，６３Ｒは３つに分割されて構成されている。なお、吐出口６３の分割の位置や数は、効率的な冷却が可能なように、色光毎に入射側偏光板３４１、液晶パネル３４２、射出側偏光板３４３の発熱量の差等を加味して決めている。
【００４６】
ガイド部材７は、吐出口６３から吐出された冷却風を、ガイド部材７に囲まれない領域からの塵埃を巻き込ませずに液晶パネル３４２等に流動させるものである。ガイド部材７は、電気光学装置３４とダクト６（吐出口６３）との間に設置される。詳細には、ガイド部材７は、吐出口６３から、冷却する入射側偏光板３４１、液晶パネル３４２、射出側偏光板３４３が設置される位置までの間を囲むように形成されている。
【００４７】
ガイド部材７は、概略、吐出口６３を囲むガイド本体７１と、各吐出口６３の外形に沿った形状に開口する開口部７２と、各開口部７２の両横方向のガイド本体７１の外形辺に形成されるガイド壁７３とを有して構成される。
【００４８】
ガイド本体７１は、上方から見た場合、概ねＴ字形状を有し、３つの吐出口６３を囲むように形成される。そして、ガイド本体７１には、吐出口６３の外形に沿った形状に開口する開口部７２が形成される。
【００４９】
詳細には、Ｇ光用の吐出口６３Ｇの外形に沿ってＧ光用の開口部７２Ｇが形成され、Ｂ光用の吐出口６３Ｂの外形に沿ってＢ光用の開口部７２Ｂが形成され、Ｒ光用の吐出口６３Ｒの外形に沿ってＲ光用の開口部７２Ｒが形成される。この開口部７２Ｇ，７２Ｂ，７２Ｒは、それぞれ対応する吐出口６３Ｇ，６３Ｂ，６３Ｒに隙間なく嵌め込めるように形成されている。
【００５０】
また、ガイド本体７１の中央部には、電気光学装置３４のクロスダイクロイックプリズム３４５を固定する固定板３４Ａ（図４参照）を挿通する開口部７４が形成される。
【００５１】
また、開口部７２Ｇ，７２Ｂ，７２Ｒの両横方向のガイド本体７１の外形辺には、上方向（＋Ｚ方向）に突出するガイド壁７３が形成される。ガイド壁７３は、ガイド本体７１に接続して、入射側偏光板３４１、液晶パネル３４２、射出側偏光板３４３までの間を囲み、また入射側偏光板３４１、液晶パネル３４２、射出側偏光板３４３の側面の一部を囲むように形成される。
【００５２】
ガイド壁７３は、詳細には、４つのガイド壁７３１，７３２，７３３，７３４で構成される。ガイド壁７３１は、Ｇ光用の液晶パネル３４２Ｇ（入射側偏光板３４１Ｇと射出側偏光板３４３Ｇも含む）と、Ｒ光用の液晶パネル３４２Ｒ（入射側偏光板３４１Ｒと射出側偏光板３４３Ｒも含む）との側面の一部を囲むように設置される。また、ガイド壁７３２は、Ｇ光用の液晶パネル３４２Ｇ（入射側偏光板３４１Ｇと射出側偏光板３４３Ｇも含む）と、Ｂ光用の液晶パネル３４２Ｂ（入射側偏光板３４１Ｂと射出側偏光板３４３Ｂも含む）の側面の一部を囲むように設置される。ガイド壁７３の高さは、ガイド壁７３が中心部Ｃ１より下側（−Ｚ方向）となるように設定される。
【００５３】
また、ガイド壁７３３は、Ｂ光用の液晶パネル３４２Ｂ（入射側偏光板３４１Ｂと射出側偏光板３４３Ｂも含む）の側面の一部を囲むように設置される。そして、ガイド壁７３４は、Ｒ光用の液晶パネル３４２Ｒ（入射側偏光板３４１Ｒと射出側偏光板３４３Ｒも含む）の側面の一部を囲むように設置される。
【００５４】
ここで、冷却機構５（ダクト６、ガイド部材７）と電気光学装置３４との組立てに関して説明する。
最初に、ダクト６を外装筺体２の所定の位置に設置する。これにより、図示省略する冷却用ファンの吐出口とダクト６の流入口６２とが接続される。その後、ガイド部材７をダクト６に設置する。詳細には、ガイド部材７の開口部７２を対応する吐出口６３に嵌め込むことで設置する。その後、入射側偏光板３４１が設置される光学部品用筺体３６を外装筺体２の所定の位置に設置する。そして、電気光学装置３４の固定板３４Ａをガイド部材７の開口部７４に挿通して、投写レンズ３５を固定する固定枠（図示省略）に設置する。この組立てにより、図３に示す状態となる。
【００５５】
図３に示すように、冷却機構５と電気光学装置３４とが組立てられた場合、ガイド部材７は、ガイド本体７１により、ダクト６の吐出口６３の外形を囲む。そして、ガイド部材７は、ガイド本体７１に接続するガイド壁７３により、吐出口６３と電気光学装置３４（入射側偏光板３４１、液晶パネル３４２、射出側偏光板３４３）までの間と、入射側偏光板３４１、液晶パネル３４２、射出側偏光板３４３の側面の中心部Ｃ１より下側（−Ｚ方向）を囲む。なお、上述したように、図示省略する入射側偏光板３４１は、図３において、各液晶パネル３４２の前段で、ガイド本体７１とガイド壁７３に囲まれる領域内に設置されている。
【００５６】
図４は、冷却機構５と電気光学装置３４を示す概平面図である。なお、図４では、Ｇ光用の液晶パネル３４２Ｇを正面方向から見た図として示している。また、図４では、液晶パネル３４２Ｇに対応する吐出口６３Ｇと、ガイド部材７の一部（ガイド本体７１、ガイド壁７３１，７３２）とを断面（斜線で示す）で図示している。図４においても光学部品用筺体３６は図示を省略している。図４を参照して、冷却風の流動に関して説明する。
【００５７】
なお、以降では、説明の便宜上、Ｇ光用の液晶パネル３４２Ｇに対して、Ｇ光用の吐出口６３Ｇから冷却風Ｇ１が吐出される場合を取り上げて説明する。また、図４では、吐出口６３Ｇから吐出された冷却風Ｇ１と、吐出された冷却風Ｇ１による塵埃ＤＳの流動方向を模式的に図示している。
【００５８】
図４に示すように、本実施形態の吐出口６３Ｇと液晶パネル３４２Ｇとを、光束入射側（−Ｘ方向）から見た場合、吐出口６３Ｇの水平方向（Ｙ方向）における中心線Ａ１と、液晶パネル３４２Ｇの光束入射面３４２１Ｇの水平方向（Ｙ方向）における中心線Ａ２とはずれている。詳細には、吐出口６３Ｇの中心線Ａ１を、ダクト６内を流れる冷却風Ｇ１の上流側である液晶パネル３４２Ｇの中心線Ａ２より右方向（−Ｙ方向）にずらしている。
【００５９】
図４に示すように、本実施形態では、流入口６２１（図２参照）から流入した冷却風Ｇ１は、第１ダクト本体６１１内部を、右方向（−Ｙ方向）から左方向（＋Ｙ方向）に流動する。そのため、吐出口６３Ｇにより、冷却風Ｇ１の流れを垂直方向（上方向）に変えて、吐出口６３Ｇから吐出させても、吐出された冷却風Ｇ１は第１ダクト本体６１１の流動方向の影響を受けて、垂直方向（＋Ｚ方向）に平行には流動せず、図示するように、左方向（＋Ｙ方向）に傾斜するように流動する。
【００６０】
従って、本実施形態では、冷却風Ｇ１が傾斜した方向に流動しても、液晶パネル３４２Ｇの発熱量が最も高くなる中心部Ｃ１を通って流動するため、吐出口６３Ｇの中心線Ａ１を液晶パネル３４２Ｇの中心線Ａ２に対してダクト６内を流れる冷却風Ｇ１の上流側にずらすように、吐出口６３Ｇの位置を調整している。
【００６１】
この吐出口６３Ｇの配置により、冷却風Ｇ１は、液晶パネル３４２Ｇの中心部Ｃ１に確実に流動し、液晶パネル３４２Ｇの温度が許容温度範囲内となるように効率的に冷却させる。併せて、冷却風Ｇ１は、入射側偏光板３４１Ｇ、射出側偏光板３４３Ｇにも流動し、入射側偏光板３４１Ｇ、射出側偏光板３４３Ｇの温度が許容温度範囲内となるように効率的に冷却させる。このような配置とした場合には冷却風Ｇ１が傾斜して流れるため、液晶パネル３４２Ｇの光束入射面３４２１Ｇの右上および左下は冷却風の流量が少ないので冷却風に塵埃ＤＳが含まれた周囲の空気（ガイド部材７に囲まれない領域の空気）が引き寄せられると、塵埃が光束入射面３４２１Ｇの右上および左下に付着しやすくなってしまう。
【００６２】
本実施形態では、吐出口６３Ｇから吐出された冷却風Ｇ１が液晶パネル３４２Ｇに流動してもガイド部材７（ガイド本体７１とガイド壁７３１，７３２）で囲まれていることにより、吐出口６３Ｇ周囲の空気は、ガイド部材７（ガイド本体７１とガイド壁７３１，７３２）の外側の領域で滞留する。これにより、ガイド部材７は、ガイド部材７に囲まれない領域の塵埃ＤＳが液晶パネル３４２Ｇの光束が入射する表面に付着することを抑制する。
【００６３】
また、ガイド壁７３の高さは、ガイド壁７３が中心部Ｃ１より冷却風Ｇ１の上流側である下側（−Ｚ方向）となるように設定されているため、左方向（＋Ｙ方向）に傾斜するように流動する冷却風Ｇ１が、ガイド壁７３で遮られることがなく、液晶パネル３４２Ｇの左上方へ冷却風Ｇ１を流動させることができる。よって冷却効率を落とさずに塵埃ＤＳが液晶パネル３４２Ｇの光束が入射する表面に付着することを抑制している。
【００６４】
上記では、Ｇ光用の液晶パネル３４２Ｇに対して、Ｇ光用の吐出口６３Ｇから冷却風Ｇ１が吐出される場合を取り上げて説明したが、これは、Ｇ光用の入射側偏光板３４１Ｇ、射出側偏光板３４３Ｇに対しても同様となる。
【００６５】
また、Ｂ光用の吐出口６３ＢおよびＲ光用の吐出口６３Ｒは液晶パネル３４２Ｂ、液晶パネル３４２Ｒに対して、吐出口６３Ｂ、６３ＲのＸ方向の中心が液晶パネル３４２Ｂ、３４２ＲのＸ方向の中心とは略一致するように設置している。第２ダクト本体６１２を流れる冷却風の流動方向は、液晶パネル３４２Ｂ、液晶パネル３４２Ｒの光束入射面に対して略垂直方向であるためである。しかし、ガイド部材７（ガイド本体７１、ガイド壁７３２，７３３）によって吐出口６３Ｂ，６３Ｒから入射側偏光板３４１Ｂ，３４１Ｒ、液晶パネル３４２Ｂ，３４２Ｒ、射出側偏光板３４３Ｂ，３４３Ｒの間は囲まれているので、冷却風によって塵埃が巻き込まれることが抑制される。
【００６６】
上述した実施形態によれば、以下の効果が得られる。
本実施形態のプロジェクター１は、入射側偏光板３４１、液晶パネル３４２、射出側偏光板３４３を備え、また、ダクト６とガイド部材７とを備えている。そして、ガイド部材７は、ガイド本体７１（開口部７２）により、吐出口６３の外形を囲むと共に、吐出口６３から、入射側偏光板３４１、液晶パネル３４２、射出側偏光板３４３までの間を囲み、また、入射側偏光板３４１、液晶パネル３４２、射出側偏光板３４３の側面の全部（全域）ではなく一部を囲んでいる。この構成により、冷却風の吐出に伴う、塵埃ＤＳの巻き込みを抑制している。従って、入射側偏光板３４１、液晶パネル３４２、射出側偏光板３４３への塵埃ＤＳの付着を低減することができる。よって、プロジェクター１から投写された投写画像の色ムラを抑制することができ、投写画像品質を維持することができる。
【００６７】
本実施形態のプロジェクター１において、ガイド部材７は、ガイド本体７１により、吐出口６３の外形を囲むと共に、吐出口６３から、入射側偏光板３４１、液晶パネル３４２、射出側偏光板３４３までの間を囲んでいる。また、ガイド壁７３により、入射側偏光板３４１、液晶パネル３４２、射出側偏光板３４３の側面の一部を囲んでいる。従って、従来に対して、簡易な構成で、プロジェクター１を大型化させることなく液晶パネル３４２等への塵埃ＤＳの付着を低減できる。
【００６８】
本実施形態のプロジェクター１は、吐出口６３Ｇと液晶パネル３４２Ｇとを、光束入射側（−Ｘ方向）から見た場合、吐出口６３Ｇの中心線Ａ１は、液晶パネル３４２Ｇの面（入射面）に対する中心線Ａ２よりダクト６内を流れる冷却風Ｇ１の上流側（−Ｙ方向）にずらして設置されている。このように液晶パネル３４２Ｇと吐出口６３Ｇが配置されているときに塵埃ＤＳが付着しやすいが、ガイド部材７により塵埃ＤＳの付着を低減できる。また、ガイド壁７３の高さは、ガイド壁７３が中心部Ｃ１より冷却風Ｇ１の上流側である下側（−Ｚ方向）となるように設定されている。これにより、左方向（＋Ｙ方向）に傾斜するように流動する冷却風Ｇ１が、ガイド壁７３で遮られることがなく、液晶パネル３４２Ｇの左上方へ冷却風Ｇ１を流動させることができる。従って、入射側偏光板３４１、液晶パネル３４２、射出側偏光板３４３の冷却効率を落とさずに塵埃ＤＳの付着を低減できる。
【００６９】
本実施形態のプロジェクター１は、液晶パネル３４２（３４２Ｇ，３４２Ｂ，３４２Ｒ）の数量に応じて、ガイド部材７を備えている。詳細には、ガイド部材７は、３つの液晶パネル３４２に冷却風を吐出する３つの吐出口６３に対応して、３つの開口部７２を備えている。また、３つの液晶パネル３４２に対応して、ガイド壁７３（７３１，７３２，７３３，７３４）を備えている。これにより、各液晶パネル３４２を確実に冷却することができると共に、各液晶パネル３４２への塵埃ＤＳの付着を低減できることで、投写画像の色ムラを抑制できる。
【００７０】
本実施形態のプロジェクター１は、ガイド部材７が一体に構成されて、３つの液晶パネル３４２に対応させている。これにより、ガイド部材７が、３つの液晶パネル３４２に対応して別体で構成される場合に比較して、ガイド部材７の取り扱いが容易となり、組立て工数を削減することができる。
【００７１】
なお、上述した実施形態に限定されず、その要旨を逸脱しない範囲において種々の変更や改良等を加えて実施することが可能である。変形例を以下に述べる。
【００７２】
前記実施形態のガイド部材７は、一体に構成されて、３つの液晶パネル３４２に対応させているが、これに限られず、別体に構成されて、それぞれの液晶パネル３４２に対応させてもよい。詳細には、ガイド部材７は、ガイド本体７１と、吐出口６３に対応する開口部７２と、ガイド壁７３とを最小単位として、色光毎に別体として構成されてもよい。
【００７３】
前記実施形態のガイド部材７は、３つの液晶パネル３４２に対応させて、３つの吐出口６３に対応する３つの開口部７２や、ガイド壁７３を備えている。しかし、これに限られず、使用する液晶パネル３４２の数量に応じて、吐出口６３に対応する開口部７２やガイド壁７３を備えることでよい。
【００７４】
前記実施形態のガイド部材７において、ガイド壁７３１，７３２を上方向から見た場合、略Ｌ字形状となっているが、ガイド壁７３１，７３２は、この形状には限定されず、液晶パネル３４２の側面の一部を囲める形状であればよい。
【００７５】
前記実施形態のプロジェクター１は、Ｒ光、Ｇ光、Ｂ光に対応する３つの液晶パネル３４２を用いる、いわゆる３板方式を採用している。しかし、これに限られず、単板方式の液晶パネルを採用してもよい。また、コントラストを向上させるための液晶パネルを追加して採用してもよい。
【００７６】
前記実施形態の光源装置３０は、超高圧水銀ランプを採用しているが、これに限られず、高輝度発光する種々の放電型のランプを採用することができ、例えば、メタルハライドランプや高圧水銀ランプ等を採用することができる。また、これに限られず、光源装置３０は、ＬＥＤ（Light Emitting Diode）、有機ＥＬ（Electro Luminescence）素子、シリコン発光素子等の各種固体発光素子を採用してもよい。
【符号の説明】
【００７７】
１…プロジェクター、６…ダクト、７…ガイド部材、３０…光源装置、３４…電気光学装置、６１…ダクト本体、６３…吐出口、７１…ガイド本体、７２…開口部、７３…ガイド壁、３４１…入射側偏光板、３４２…液晶パネル、３４３…射出側偏光板、Ａ１，Ａ２…中心線、ＤＳ…塵埃、Ｇ１…冷却風。
【図１】
2013145259.tif 000003
【図２】
2013145259.tif 000004
【図３】
2013145259.tif 000005
【図４】
2013145259.tif 000006
【図５】
2013145259.tif 000007